(57)【要約】【課題】リモコン送信器の置き場所に不自由することがなく且つ紛失を防ぐことができるとともに他の配線器具とのデザイン上の統一もとりやすいスイッチ装置を提供する。【解決手段】スイッチ装置は、商用の交流電源と負荷との間に挿入されるスイッチ本体１と、スイッチ本体１が具備する操作スイッチＳＷ１をオン・オフするハンドル２０と、ハンドル２０の前面に着脱自在に取り付けられ、ハンドル２０から分離された状態で負荷をオン・オフするためのワイヤレス信号を送信するリモコン送信器４０とで構成される。リモコン送信器４０をハンドル２０の前面に着脱自在に取り付けて収納するから、リモコン送信器４０の置き場所に不自由することがなく、リモコン送信器４０の紛失を防ぐことができる。しかも、スイッチ本体１の器体は施工面（壁面）に埋込配設されるから、埋込型の他の配線器具とのデザイン上の統一もとりやすくなる。【選択図】        図１
2005038794.tif 000002
【特許請求の範囲】
【請求項１】
電源から負荷への給電をオン・オフするスイッチ本体と、スイッチ本体に対して光を媒体とする負荷制御用のワイヤレス信号を送信するリモコン送信器とを備え、スイッチ本体は、施工面に埋込配設される器体と、電源から負荷への給電路を開閉するスイッチ要素と、器体の前面に取り付けられて押操作されるハンドルと、ハンドルの押操作によって操作される操作スイッチと、ワイヤレス信号を受光する受光部と、操作スイッチが操作されたとき若しくは受光部がワイヤレス信号を受光したときにスイッチ要素を制御して電源から負荷への給電路を開閉させる制御部とを具備し、リモコン送信器をハンドルの前面に着脱自在に取り付ける取付手段がハンドル並びにリモコン送信器に設けられたことを特徴とするスイッチ装置。
【請求項２】
ハンドルが取り付けられる器体の前面に受光部が露出されるとともに、リモコン送信器から送信されたワイヤレス信号を透過させて受光部に受光させる透光部がハンドルに設けられたことを特徴とする請求項１記載のスイッチ装置。
【請求項３】
ハンドルは一端部が器体に回動自在に支持されて他端部が押操作されるピアノハンドルからなり、ハンドルの器体に支持される一端部側に透光部が設けられるとともに、ハンドルの押操作される他端部側に取付手段が設けられたことを特徴とする請求項２記載のスイッチ装置。
【請求項４】
ワイヤレス信号を受光部に集光するためのレンズが透光部に設けられたことを特徴とする請求項２又は３記載のスイッチ装置。
【発明の詳細な説明】
【技術分野】
【０００１】
本発明は、負荷を入切するためのスイッチ装置に関するものである。
【背景技術】
【０００２】
従来、商用の交流電源と負荷（例えば、照明負荷）との間に挿入され、ハンドルの操作に応じて商用電源から負荷への給電をオン・オフすることにより負荷を入切（照明負荷の場合であれば点灯・消灯）するとともに、負荷を入切するために別途用意されたリモコン送信器から送信されたワイヤレス信号を受信して商用電源から負荷への給電をオン・オフする埋込型のスイッチ装置が提供されている（特許文献１参照）。
【特許文献１】特開平１１−２５８２２号公報
【発明の開示】
【発明が解決しようとする課題】
【０００３】
ところで上記従来例では、リモコン送信器の置き場所に不自由したり、置いた場所を忘れてリモコン送信器を紛失してしまうといった問題があった。尚、壁面等に設置したホルダにリモコン送信器を保持させることが一般に行われているが、ホルダを設置するための場所が必要になるとともに、埋込型のスイッチ等との間でデザイン上の統一がとれないという問題があった。
【０００４】
本発明は、上記問題に鑑みて為されたものであり、その目的は、リモコン送信器の置き場所に不自由することがなく且つ紛失を防ぐことができるとともに他の配線器具とのデザイン上の統一もとりやすいスイッチ装置を提供することにある。
【課題を解決するための手段】
【０００５】
請求項１の発明は、上記目的を達成するために、電源から負荷への給電をオン・オフするスイッチ本体と、スイッチ本体に対して光を媒体とする負荷制御用のワイヤレス信号を送信するリモコン送信器とを備え、スイッチ本体は、施工面に埋込配設される器体と、電源から負荷への給電路を開閉するスイッチ要素と、器体の前面に取り付けられて押操作されるハンドルと、ハンドルの押操作によって操作される操作スイッチと、ワイヤレス信号を受光する受光部と、操作スイッチが操作されたとき若しくは受光部がワイヤレス信号を受光したときにスイッチ要素を制御して電源から負荷への給電路を開閉させる制御部とを具備し、リモコン送信器をハンドルの前面に着脱自在に取り付ける取付手段がハンドル並びにリモコン送信器に設けられたことを特徴とする。
【０００６】
この発明によれば、ハンドルを押操作して負荷を入切できるとともにハンドルの前面に取り付けられたリモコン送信器をハンドルから取り外し、ワイヤレス信号を送信してスイッチ本体で電源から負荷への給電をオン・オフすることにより負荷を入切することができ、リモコン送信器の置き場所に不自由することがなく、リモコン送信器の紛失を防ぐことができる。また、スイッチ本体の器体は施工面に埋込配設されるから、埋込型の他の配線器具とのデザイン上の統一もとりやすくなる。
【０００７】
請求項２の発明は、請求項１の発明において、ハンドルが取り付けられる器体の前面に受光部が露出されるとともに、リモコン送信器から送信されたワイヤレス信号を透過させて受光部に受光させる透光部がハンドルに設けられたことを特徴とする。
【０００８】
この発明によれば、ハンドル以外の部位に透光部を設ける場合に比較してスイッチ本体の小型化が図れる。
【０００９】
請求項３の発明は、請求項２の発明において、ハンドルは一端部が器体に回動自在に支持されて他端部が押操作されるピアノハンドルからなり、ハンドルの器体に支持される一端部側に透光部が設けられるとともに、ハンドルの押操作される他端部側に取付手段が設けられたことを特徴とする。
【００１０】
この発明によれば、ハンドルを押操作する際に人の指などが透光部に触れ難くなり、透光部が汚れてワイヤレス信号の到達距離が短くなるのを防ぐことができる。
【００１１】
請求項４の発明は、請求項２又は３の発明において、ワイヤレス信号を受光部に集光するためのレンズが透光部に設けられたことを特徴とする。
【００１２】
この発明によれば、透光部に設けられるレンズでワイヤレス信号を受光部に集光するから、ワイヤレス信号の受光範囲を拡げてリモコン送信器による操作可能範囲を拡大することができる。
【発明の効果】
【００１３】
本発明によれば、ハンドルを押操作して負荷を入切できるとともにハンドルの前面に取り付けられたリモコン送信器をハンドルから取り外し、ワイヤレス信号を送信してスイッチ本体で電源から負荷への給電をオン・オフすることにより負荷を入切することができ、リモコン送信器の置き場所に不自由することがなく、リモコン送信器の紛失を防ぐことができるとともに、スイッチ本体の器体は施工面に埋込配設されるから、埋込型の他の配線器具とのデザイン上の統一もとりやすくなるという効果がある。
【発明を実施するための最良の形態】
【００１４】
以下、図面を参照して本発明の実施形態を詳細に説明する。
【００１５】
本実施形態のスイッチ装置は、商用の交流電源と負荷（例えば、照明器具や換気扇など）との間に挿入されるスイッチ本体１と、スイッチ本体１が具備する操作スイッチＳＷ１をオン・オフするハンドル２０と、ハンドル２０の前面に着脱自在に取り付けられ、ハンドル２０から分離された状態で負荷をオン・オフするためのワイヤレス信号を送信するリモコン送信器４０とで構成される。
【００１６】
スイッチ本体１の器体は、図１に示すように合成樹脂材料により前面が開口する矩形箱形に形成されたボディ２と、同じく合成樹脂材料により背面が開口する箱形に形成されてボディ２の前面に被着されるカバー３とで構成される。ボディ２とカバー３との結合は、カバー３の四隅より後方へ垂下した４つの組立片４に貫設されている矩形の組立孔５に、ボディ２の長手方向に対向する両側壁の外側面に突設されている組立突起２ａを挿入係止させることで行われる。ここで、器体は日本工業規格に規定されるワイドハンドル形単用スイッチに準じた寸法に形成されており、図１に示す専用取付枠（以下、単に「取付枠」と呼ぶ）６０を用いて壁面などの施工面に埋込配設される（ＪＩＳ  Ｃ  ８３０４参照）。すなわち、カバー３の長手方向に沿った一方の側面の中央部と他方の側面の両端部には、取付枠６０に着脱自在に取付可能とするために一対の係止爪６がそれぞれ突設されており、中央部の係止爪６の背部には空所７を形成し（図８参照）、係止爪６が内側へ弾性的に撓むようにしてある。したがって、既製の配線器具用の取付枠６０が具備する係止孔６１に係止爪６を係止させてスイッチ本体１を取付枠６０に着脱自在に取り付けることができ、既製の埋込型の配線器具と同様にして壁面などに埋込配設できる。
【００１７】
器体の内部には、図１２に示す回路を構成する回路部品が実装されたプリント配線板８Ａ，８Ｂが収納される。
【００１８】
図１２に示すように、スイッチ本体１には、交流電源ＡＣが接続される接続端子Ｔ１，Ｔ２と、照明器具や換気扇などの負荷Ｌが接続される接続端子Ｔ３，Ｔ４とが設けられ、接続端子Ｔ１，Ｔ３が共通接続され、接続端子Ｔ２，Ｔ４間には交流電源ＡＣから負荷Ｌへの給電路を開閉するスイッチ要素としてのトライアックＱ１が接続されている。またスイッチ本体１は、ホトダイオードのような受光素子を有し、リモコン送信器４０から赤外線を媒体として送信されるワイヤレス信号を受信する受光部７２と、マイクロコンピュータからなり受光部７２の受信したワイヤレス信号或いは操作スイッチＳＷ１の押操作に伴って発生する操作信号に基づいて負荷Ｌの入切を制御するための制御信号を発生する制御回路部７０と、ホトトライアックからなり制御回路部７０の制御信号に応じてトライアックＱ１を開閉駆動する負荷開閉部７１と、接続端子Ｔ１，Ｔ２間に入力端子が接続されて交流電源ＡＣの電源電圧を整流するダイオードブリッジのような整流回路部７３と、整流回路部７３の整流出力を平滑して制御部回路７０や受光部７２などの動作電源を生成する電源部７４とを備えている。尚、図中のＬＤ１は照明負荷Ｌの消灯時に点灯して位置表示を行うための表示素子（発光ダイオード）であり、ＳＷ２は制御用のチャンネルを切り換えるためのチャンネルスイッチである。
【００１９】
而して、スイッチ本体１では、制御回路部７０が受光部７２からの信号入力及び操作スイッチＳＷ１からの操作信号を監視しており、受光部７２の受信したワイヤレス信号が入力されるか、操作スイッチＳＷ１が押操作されて操作信号が入力されると、これらのワイヤレス信号及び操作信号に基づいてトライアックＱ１をターンオン又はターンオフさせる制御信号を発生し、この制御信号に基づいて負荷開閉部７１がトライアックＱ１を開閉駆動し、負荷Ｌへの給電路を開閉する。また制御回路部７０は、負荷Ｌへの給電路をオフする間、表示素子ＬＤ１を点灯させて位置表示を行う。尚、リモコン送信器４０から送信されるワイヤレス信号には、後述するようにリモコン送信器４０が具備するチャンネルスイッチＳＷ４によって設定されたチャンネルの情報が含まれており、制御回路部７０では、リモコン送信器４０のチャンネルスイッチＳＷ４によって設定されたチャンネルと、チャンネルスイッチＳＷ２で設定された自己のチャンネルとが一致する場合のみ、リモコン送信器４０からのワイヤレス信号を受け付けるようになっている。このようにスイッチ本体１とリモコン送信器４０の双方でチャンネルを切り換えるようにすれば、赤外線を媒体とするワイヤレス信号を用いた他の機器との混信を避けて負荷Ｌの誤動作が防止できる。
【００２０】
ボディ２の内部は隔壁２ｂによって２つの収納室２ｃ，２ｄに分割されており、図１における下側の収納室２ｄには交流電源ＡＣ及び負荷Ｌにそれぞれ接続する接続端子Ｔ１〜Ｔ４が収納される。これらの接続端子Ｔ１〜Ｔ４はプリント配線板８Ａに実装される端子板と、鎖錠ばね及び解除釦（何れも図示せず）とを有する従来周知の速結端子からなり、ボディ２の底面に貫設された電線挿通孔（図示せず）を通して挿入される電線が端子板と鎖錠ばねの間に圧接保持されることで電線と電気的及び機械的に接続される。なお、収納室２ｄの中央にはボス部２ｅが突設されており、プリント配線板８Ａに貫設されたねじ挿通孔８ａにタッピングねじからなる取付ねじ（図示せず）を挿通した後にボス部２ｅの前端面に設けられたねじ孔２ｆに螺合することでプリント配線板８Ａがボディ２に取り付けられる。また、図１における上側の収納室２ｃには、プリント配線板８Ａに実装されている回路部品が収納される。ここで、プリント配線板８Ａに実装されているトライアックＱには金属製の放熱板（図示せず）が取り付けられている。そして、収納室２ｃを囲むボディ２の側壁には前後方向に沿った複数のスリット２ｇが貫設されており、これら複数のスリット２ｇを通して放熱板の放熱で温められた空気を器体の外に放出して放熱を促進している。
【００２１】
一方、カバー３には、図６に示すように操作スイッチＳＷ１やチャンネルスイッチＳＷ２、表示素子ＬＤ１並びに受光部７２などが実装されるとともに図示しないテープ電線（フレキシブル・フラット・ケーブル）により一方のプリント配線板８Ａと接続された他方のプリント配線板８Ｂが収納される。また、カバー３の前面には操作スイッチＳＷ１の操作部が挿通される挿通孔３ａ、チャンネルスイッチＳＷ２の操作部が挿通される挿通溝３ｂ、表示素子ＬＤ１の光を前方へ照射するための表示窓３ｃ、リモコン送信器４０から送信されるワイヤレス信号を受光部７２に導くための受光窓３ｄが貫設されている（図１１参照）。カバー３の内底面には複数のリブ１１が一体に突設されており（図８参照）、プリント配線板８Ｂに貫設される複数の孔８ｂにそれぞれリブ１１を挿通することでカバー３に対するプリント配線板８Ｂの位置決め並びに固定が行われる。ここで、操作スイッチＳＷ１やチャンネルスイッチＳＷ２は操作に伴う外力を受けるから、プリント配線板８Ｂの操作スイッチＳＷ１及びチャンネルスイッチＳＷ２が実装された部位の近傍をリブ１１で固定することが必要となるが、本実施形態においては操作スイッチＳＷ１とチャンネルスイッチＳＷ２を近接してプリント配線板８Ｂに実装することにより、操作スイッチＳＷ１とチャンネルスイッチＳＷ２が実装された部位の間にリブ１１並びに孔８ｂを設けるだけでよく、２つのスイッチＳＷ１，ＳＷ２を離して実装する場合に比較してリブ１１や孔８ｂの個数が削減できるという利点がある。
【００２２】
カバー３の前面における長手方向中央の側端部には、図１１に示すように先端部が略円柱状となった軸部９が所定間隔を開けて２つ一体に突設してある。そして、操作スイッチＳＷ１の操作部を操作するためのハンドル２０が軸部９を支点として回動自在にカバー３の前面に取り付けられる。ハンドル２０は合成樹脂成型品からなり、扁平な矩形平板状の主部２２、並びに主部２２の長手方向に沿った側端に設けられ、主部２２よりも大きい厚み寸法を有する側部２３が一体に形成されたハンドル本体２１と、側部２３の前面に被着されるハンドルカバー２４とで構成される。図７に示すように、側部２３の背面側における長手方向中央部にはカバー３の軸部９が嵌め込まれる軸受部２３ａが設けてあり、この軸受部２３ａで軸部９を回動自在に支持することにより、ハンドル２０がカバー３の前面に回動自在に取り付けられる。なお、主部２２の長手方向に沿った端部には後方に向けて一対の抜止片２２ａが突設されており、これら一対の抜止片２２ａがカバー３の前面に設けられた矩形の挿通孔３ｅを通して空所７内に挿入されることによってハンドル２０が回動しても抜止片２２ａの先端が挿通孔３ｅの周縁に係止して抜けないようになっている（図８参照）。このようにしてスイッチ本体１に取り付けられたハンドル２０を押操作すると、軸受部２３ａに支持された軸部９を支点としてハンドル２０が回動し、ハンドル本体２１を構成する主部２２の裏面に突設された突起２２ｂ（図７参照）で操作スイッチＳＷ１の操作部を押操作することができる。すなわち、本実施形態におけるハンドル２０は、一端部が器体に回動自在に支持されて他端部が押操作されるピアノハンドルからなる。ここで、カバー３前面の長手方向両端部には、後端がカバー３に連結されて支持されるとともに先端が前方へ突出する帯状のばね片１０がカバー３と一体に設けられている。このばね片１０は、ハンドル本体２１がスイッチ本体１の方へ反った場合にハンドル本体２１の背面に先端部が当接してハンドル２０を前方へ押し上げることで操作ストロークが減少するのを防いでいる。
【００２３】
また、軸受部２３ａが設けられている側部２３の長手方向中央部には、ハンドル２０をスイッチ本体１に取り付けたときにスイッチ本体１（カバー３）前面の表示窓３ｃに対向する位置に前後方向へ貫通する窓孔２３ｂが設けられており、この窓孔２３ｂには表示部材２５の先端部分がハンドル２０の背面側から嵌合させてある。表示部材２５は透光性を有する合成樹脂成型品からなり、先端部分が窓孔２３ｂに嵌合する矩形平板状の主体２５ａと、主体２５ａの両側面より側方へ突設された取付片２５ｂとが一体に形成されている。そして、図７に示すように側部２３の裏面における窓孔２３ｂの周縁に突設されているリブ２３ｃを取付片２５ｂに貫設されている孔２５ｃに挿通してかしめることにより、表示部材２５がハンドル本体２１の側部２３に固定される。ハンドル２０をスイッチ本体１に取り付けた状態では表示部材２５の主体２５ａの後端面がスイッチ本体１の表示窓３ｃに対向配置され、表示窓３ｃを通して照射される表示素子ＬＤ１の光が主体２５ａの後端面から入射し窓孔２３ｂに嵌合させた主体２５ａの先端面から外部へ照射されることになる。
【００２４】
さらに側部２３には、カバー３の受光窓３ｄと対向する位置に矩形の透孔２３ｄが形成されており、この透孔２３ｄを通して受光部７２が側部２３の前方へ露出させてある。ハンドルカバー２４は、赤外線を透過し且つ可視光を透過しない合成樹脂材料により側部２３の前面全体を覆う幅細の短冊状に形成され、長手方向中央部には側部２３の窓孔２３ｂを逃げる凹溝２４ａが設けられており、側部２３に被着されることで側部２３の前面を目隠しするとともに赤外線を媒体とするワイヤレス信号を透過させて側部２３の透孔２３ｄに露出する受光部７２で受光可能としている。ここで、ハンドルカバー２４の透孔２３ｄと対向する部位（以下、「赤外線透光部」と呼ぶ）には、図８に示すように背面側から前面側へ窪み且つ断面形状が略円形の凹所２４ｂが設けられており、この凹所２４ｂによって赤外線透光部にレンズの機能を持たせることにより、ワイヤレス信号の受光範囲を拡げてリモコン送信器４０による操作可能範囲を拡大させている。なお、リモコン送信器４０から送信されたワイヤレス信号を透過させて受光部７２に受光させる赤外線透光部がハンドル２０に設けてあるから、ハンドル２０以外の部位に赤外線透光部を設ける場合に比較してスイッチ本体１の小型化が図れるという利点がある。また、赤外線透光部を器体に支持されるハンドル２０の一端部側に設けるとともに、リモコン送信器４０を取り付ける主部２２がハンドル２０の押操作される他端部側に設けてあるから、ハンドル２０を押操作する際に人の指などが赤外線透光部に触れ難くなり、赤外線透光部が汚れてワイヤレス信号の到達距離が短くなるのを防ぐことができるという利点もある。さらに、赤外線透光部がハンドルカバー２４の長手方向中央よりも下方の部位に設けられているため、照明負荷Ｌの照明光がワイヤレス信号の外乱光として受光部７２で受光されるのを抑えることができる。
【００２５】
ハンドル２０の主部２２の前面にリモコン送信器４０が着脱自在に取り付けられる。このリモコン送信器４０は、図１４に示すように合成樹脂材料により背面が開口する短冊状に形成されたリモコンボディ４１と、図１３に示すリモコン回路を構成する回路部品が実装されたプリント配線板４２と、リモコンボディ４１の内部に収納されたプリント配線板４２の背面に貼着されてリモコンボディ４１の開口面を塞ぐシート部材４３とを備えている。
【００２６】
上記リモコン回路は、図１３に示すようにマイクロコンピュータからなり操作スイッチＳＷ３の操作入力に応じて負荷Ｌを入切するための制御信号を発生する制御回路部８０と、発光ダイオードＬＤ２を具備し、制御回路部８０の制御信号に応じて発光ダイオードＬＤ２を駆動することにより赤外線を媒体とするワイヤレス信号を送信する発光部８１と、釦電池のような電池Ｂを電源として制御回路部８０及び発光部８１に電源を供給する電源回路部８２とを備える。尚、図中のＳＷ４はチャンネルを切り換えるためのチャンネルスイッチである。而して、リモコン送信器４０では、操作スイッチＳＷ３が押操作されると操作スイッチＳＷ３の操作信号が制御回路部８０に入力され、この操作信号に応じて制御回路部８０が制御信号を発生する。そして、発光部８１が制御回路部８０の制御信号に応じて発光ダイオードＬＤ２を駆動し、赤外線を媒体とするワイヤレス信号を送信する。
【００２７】
リモコンボディ４１の長手方向に対向する側壁の一方には、プリント配線板４２に実装された発光部８１の発光ダイオードＬＤ２を外部に臨ませる窓孔４１ａが貫設されており、この窓孔４１ａを通して発光部８１から送信されるワイヤレス信号がリモコンボディ４１の外へ照射される。また、リモコンボディ４１の長手方向に対向する側壁の他方には開口窓４１ｂが設けられ、この開口窓４１ｂに連通するリモコンボディ４１の端部には、リモコン回路の電源となるボタン型の電池Ｂが電池ホルダ４４に保持された状態で収納される電池収納部４１ｃが設けてある。電池ホルダ４４は合成樹脂成型品からなり、開口窓４１ｂを塞ぐ角柱状の主部４４ａと、主部４４ａの一側面より突出しボタン型の電池を支持する支持部４４ｂと、支持部４４ｂの側面より主部４４ａの一端面に対向する位置まで垂下された操作部４４ｃとが一体に形成されている。操作部４４ｃの外側面にはロック爪４４ｄが突設されている。支持部４４ｂを開口窓４１ｂから電池収納部４１ｃに挿入して電池ホルダ４４をリモコンボディ４１に装着したとき、リモコンボディ４１の開口窓４１ｂ近傍の側端部に形成されている係合溝４１ｄに操作部４４ｃのロック爪４４ｄが係合することで電池ホルダ４４がリモコンボディ４１に対して抜け止めされる。そして、操作部４４ｃを主部４４ａに近付ける向きに操作すれば、ロック爪４４ｄと係合溝４１ｄとの係合が外れて電池ホルダ４４をリモコンボディ４１から抜き取ることができるようになっている。
【００２８】
また、リモコンボディ４１の一方の側面には、リモコン回路のチャンネルスイッチＳＷ４を操作するための操作体４５の操作片４５ａが挿通される操作孔４１ｅが貫設されている。操作体４５は、チャンネルスイッチＳＷ４を構成するスライドスイッチの操作つまみに嵌合する嵌合溝４５ｂが一面に設けられ、他の面にはリモコンボディ４１の操作孔４１ｅにスライド移動自在に挿入される操作片４５ａが設けられている。従って、操作孔４１ｅを通して操作片４５ａを操作し操作体４５をスライド移動させることでチャンネルスイッチＳＷ４を切換操作することができる。
【００２９】
プリント配線板４２は、図１６に示すように矩形の短冊状に形成され、長手方向に沿った一方の端部中央には矩形の切り欠き部４２ａが設けられ、同図（ｂ）に示すようにリモコンボディ４１と対向する側の面（表面）に導電パターンが形成されて図示しない回路部品が実装される。同図（ａ）に示すようにプリント配線板４２の背面には、櫛形に形成された一対の導電パターンＰ１，Ｐ２からなる接点部４２ｂが設けられ、接点部４２ｂの表面にはカーボンペーストがスクリーン印刷されている。
【００３０】
シート部材４３は、図１７に示すようにポリエステルのような合成樹脂材料により薄肉のシート状に形成されて裏面に塗布された接着剤によりプリント配線板４２の背面に貼着される。シート部材４３の接点部４２ｂと対向する部位の裏面には銀ペーストやカーボンペーストからなる導電インクが印刷されて接点部４３ａが形成されている。すなわち、プリント配線板４２の背面に設けられた接点部４２ｂとシート部材４３の裏面に設けられた接点部４３ａとで所謂メンブレンスイッチが構成され、このメンブレンスイッチがリモコン送信器４０の操作スイッチＳＷ３となる。尚、シート部材４３の表面における接点部４３ａと背向する位置には、ドーム型に盛り上げられたエンボス部４３ｂが設けられており、エンボス部４３ｂを押したときにクリック感が出るようになっている。
【００３１】
ところで、プリント配線板４２の切り欠き部４２ａには矩形薄板状の鉄板４６が配置され、シート部材４３に貼着されてリモコンボディ４１に固定されている。一方、ハンドル２０には、図７に示すようにハンドル本体２１背面の抜止片２２ａと突起２２ｂに囲まれた部位に矩形板状の永久磁石２６が粘着テープ等によって取り付けられており、リモコン送信器４０をハンドル本体２１の主部２２前面に載置すると、図８に示すように主部２２並びにシート部材４３を介して永久磁石２６に鉄板４６が磁着されてハンドル本体２１の前面にリモコン送信器４０が固定されるようになっている。また、リモコンボディ４１の操作孔４１ｅが設けられている側面の長手方向両端部に係合溝４１ｆが設けられており（図１１参照）、ハンドルカバー２４の側面における長手方向両端部に突設されている係合突起２４ｃが係合溝４１ｆに係合することでハンドル本体２１に対するリモコン送信器４０の位置決めと抜け止めが行われている（図２参照）。さらに、リモコンボディ４１の他方の側面には、長手方向沿った突条からなる取外リブ４１ｇが突設されており、この取外リブ４１ｇに指をかけて手前に引くことにより、永久磁石２６の磁力に抗してリモコン送信器４０をハンドル本体２１から容易に取り外すことができる。
【００３２】
上述のように構成される本実施形態によれば、ハンドル２０を押操作して負荷Ｌを入切できるとともにハンドル２０の前面に取り付けられたリモコン送信器４０をハンドル２０から取り外し、リモコン送信器４０のエンボス部４３ｂを押操作してワイヤレス信号を送信し、このワイヤレス信号を受信したスイッチ本体１で交流電源ＡＣから負荷Ｌへの給電をオン・オフすることにより負荷Ｌを入切することができる。すなわち、リモコン送信器４０をハンドル２０の前面に着脱自在に取り付けて収納するから、リモコン送信器４０の置き場所に不自由することがなく、リモコン送信器４０の紛失を防ぐことができる。しかも、スイッチ本体１の器体は施工面（壁面）に埋込配設されるから、埋込型の他の配線器具とのデザイン上の統一もとりやすくなる。また、ハンドル本体２１の一端側にワイヤレス信号を受信するための赤外線透光部を設け、他端側にリモコン送信器４０が取り付けられる主部２２を設けることにより、リモコン送信器４０の幅寸法を手に持ちやすい大きさとすることができる。
【図面の簡単な説明】
【００３３】
【図１】本発明の実施形態を示す分解斜視図である。
【図２】同上を取付枠に取り付けた状態の斜視図である。
【図３】同上のリモコン送信器を取り外した状態の斜視図である。
【図４】同上を取付枠に取り付けた状態の斜視図である。
【図５】同上を取付枠に取り付けた状態の側面図である。
【図６】同上におけるカバーの背面図である。
【図７】同上におけるハンドルの背面図である。
【図８】同上のボディを省略した断面図である。
【図９】同上のリモコン送信器を取り外した状態のボディを省略した側面図である。
【図１０】同上のリモコン送信器を取り外した状態のボディを省略した側面断面図である。
【図１１】同上のハンドルを取り外した状態の斜視図である。
【図１２】同上におけるスイッチ本体の回路図である。
【図１３】同上におけるリモコン送信器の回路図である。
【図１４】同上におけるリモコン送信器の分解斜視図である。
【図１５】同上におけるリモコン送信器の分解斜視図である。
【図１６】同上におけるリモコン送信器のプリント配線板を示し、（ａ）は正面図、（ｂ）は背面図である。
【図１７】同上におけるリモコン送信器のシート部材を示し、（ａ）は正面図、（ｂ）は背面図である。
【符号の説明】
【００３４】
１  スイッチ本体
２０  ハンドル
４０  リモコン送信器
【図１】
2005038794.tif 000003
【図２】
2005038794.tif 000004
【図３】
2005038794.tif 000005
【図４】
2005038794.tif 000006
【図５】
2005038794.tif 000007
【図６】
2005038794.tif 000008
【図７】
2005038794.tif 000009
【図８】
2005038794.tif 000010
【図９】
2005038794.tif 000011
【図１０】
2005038794.tif 000012
【図１１】
2005038794.tif 000013
【図１２】
2005038794.tif 000014
【図１３】
2005038794.tif 000015
【図１４】
2005038794.tif 000016
【図１５】
2005038794.tif 000017
【図１６】
2005038794.tif 000018
【図１７】
2005038794.tif 000019